(57)【要約】【課題】  消音器を装着したホルンの吹奏に支障が生じないようにする。【解決手段】  消音器１の本体部１０は、胴部１１と、胴部１１の前端を閉塞する底部１２とから構成される。底部１２の外壁には、ガイド部２１が設けられている。ガイド部２１は、底部１２の外壁を一様に窪ませてなる部分である。ガイド部２１は、排気孔１５を避けて設けられている。底部１２を正面からみたとき、ガイド部２１は、底部１２の左上側、左側、左下側、下側および右下側に亙って設けられている。ガイド部２１のこの領域には、人差し指、中指、薬指および小指の各々の内側と手のひらが当接する。また、ガイド部２１は、信号出力部３５と排気孔１５との間の位置において底部１２の左側から右側に延びている。ガイド部２１のこの領域には、親指の内側が当接する。【選択図】図１
2015079054.tif 000002
【特許請求の範囲】
【請求項１】
後端側からホルンのベルに挿入される本体部を有し、
前記本体部の前端部の外壁に前記ホルンを支持する手の位置を案内するガイドを設けたことを特徴とするホルン用消音器。
【請求項２】
前記本体部の前端部の外壁に設けられる前記本体部内の空間と前記本体部外の空間とを連通させる孔を避けて前記ガイドを設けたことを特徴とする請求項１に記載のホルン用消音器。
【請求項３】
前記本体部の前端部の外壁の一部を窪ませて、または突出させて前記ガイドを形成したことを特徴とする請求項１または２に記載のホルン用消音器。
【請求項４】
前記本体部の前端部の外壁の一部の材質を他の部分の材質と異ならせることにより前記ガイドを形成したことを特徴とする請求項１から３のいずれか１の請求項に記載のホルン用消音器。
【請求項５】
前記本体部の前端部の外壁の一部の摩擦係数を他の部分の摩擦係数と異ならせることにより前記ガイドを形成したことを特徴とする請求項１から４のいずれか１の請求項に記載のホルン用消音器。
【発明の詳細な説明】
【技術分野】
【０００１】
この発明は、ホルン用の消音器に関する。
【背景技術】
【０００２】
大きな音量で管楽器を吹奏することができない場所や状況において管楽器の吹奏練習をする場合がある。このようなときに、管楽器の音量を少なくする目的で消音器が使用される（例えば特許文献１）。この種の消音器は、管楽器のベル内に挿入されて使用される。ここで、管楽器におけるベルとは、音量を増大させるために管楽器の管の径が徐々に広げられた呼気の排出口付近の部分のことを言う。
【０００３】
ホルンは、その吹奏態様が特異である。具体的には、ホルンの吹奏者（以下、単に吹奏者という）は、通常、ベル内に右手を挿入して、その右手により当該ホルンを支持しながら吹奏する。このホルンの吹奏練習に使用されるホルン用消音器（以下、単に消音器という）も、ベル内に挿入されて使用される。ホルンに消音器を装着すると、消音器によってベル内の空間が塞がるため、吹奏者は、ベル内に右手を挿入することができなくなる。このため、消音器を使用する吹奏者は、各自思い思いの支え方でホルンを支持していた。
【先行技術文献】
【特許文献】
【０００４】
【特許文献１】特許第４１２４２３６号公報
【発明の概要】
【発明が解決しようとする課題】
【０００５】
消音器が装着されたホルンを各自が思い思いの支え方で支持すると、不自然な支え方でホルンを支持する場合がある。そして、不自然な支え方でホルンを支持しながら吹奏することにより、吹奏者の身体に負担がかかる虞があり、吹奏に支障が生じる虞がある。
【０００６】
また、消音器に設けられる呼気を排気する排気孔を右手によって誤って塞いでしまう場合もある。排気孔を塞ぐと吹奏感が悪くなる。そして、排気孔を右手によって塞いでしまっていることに気付かずに、吹奏感が悪い状態で吹奏する虞がある。
【０００７】
この発明は以上のような事情に鑑みてなされたものであり、消音器を装着したホルンの吹奏に支障が生じないようにすることを目的としている。
【課題を解決するための手段】
【０００８】
この発明は、後端側からホルンのベルに挿入される本体部を有し、前記本体部の前端部の外壁に前記ホルンを支持する手の位置を案内するガイドを設けたことを特徴とするホルン用消音器を提供する。
【０００９】
本ホルン用消音器を装着したホルンをユーザ（吹奏者）が構えるとき、ユーザは、本ホルン用消音器の本体部の前端部の外壁に右手を当ててホルンを支持する。ユーザの右手の当たるところには、ホルンを支持する手の位置を案内するガイドが設けられている。このため、ユーザの右手は適切な位置に案内され、ユーザに自然な支え方でホルンを支持させることができる。従って、本発明によれば、消音器を装着したホルンの吹奏に支障が生じないようにすることができる。
【００１０】
好ましい態様において、前記本体部の前端部の外壁に設けられる前記本体部内の空間と前記本体部外の空間とを連通させる孔を避けて前記ガイドを設けたことを特徴とする消音器を提供する。
【００１１】
管楽器に吹き込まれた呼気は、本体部内の空間と本体部外の空間とを連通させる孔を介して本体部外に排気される。本態様によれば、この孔がホルンを支持する手によって塞がれることを回避することができる。このため、吹奏感が悪い状態で吹奏することを回避することができる。
【図面の簡単な説明】
【００１２】
【図１】この発明の第１実施形態による消音器１の構成を示す縦断面図、正面図および同消音器１をホルンに装着して吹奏したときの同消音器１の構成を示す斜視図である。
【図２】この発明の第２実施形態による消音器１Ａの構成を示す正面図および同消音器１Ａをホルンに装着して吹奏したときの同消音器１Ａの構成を示す斜視図である。
【図３】この発明の第３実施形態による消音器１Ｂの構成を示す正面図および同消音器１Ｂに手を当てたときの同消音器１Ｂの構成を示す正面図である。
【図４】この発明の第４実施形態による消音器１Ｃの構成を示す正面図および同消音器１Ｃに手を当てたときの同消音器１Ｃの構成を示す正面図である。
【発明を実施するための形態】
【００１３】
以下、図面を参照し、この発明の実施形態について説明する。
＜第１実施形態＞
本実施形態による消音器１は、ホルン用の消音器である。以下、本明細書では、ベルにおける管楽器の管の径が徐々に小さくなる方向を後方と呼び、ベルにおける管楽器の管の径が徐々に大きくなる方向を前方と呼ぶ。
【００１４】
図１（Ａ）は、この発明の第１実施形態による消音器１の構成を示す縦断面図であり、図１（Ｂ）は、同消音器１を前方から見たときの同消音器１の構成を示す正面図であり、図１（Ｃ）は、同消音器１をホルンに装着して吹奏したときの同消音器１の構成を示す斜視図である。図１（Ａ）および（Ｃ）は、消音器１をホルンに装着した状態を示す。
【００１５】
図１に示すように、消音器１は、本体部１０と、支持部３２と、パイプ３１と、マイクロフォン３３と、信号出力部３５と、音程調節部３６とを有する。本体部１０は、胴部１１と底部１２とから構成されている。
【００１６】
胴部１１は、略円錐管形状の中空の管体である。胴部１１内には、空洞１３が形成される。消音器１をホルンに装着したとき、胴部１１の回転軸（以下、単に軸という）は、ベル３の軸に重なる。胴部１１は、前端である大径側端１１ａから後端である小径側端１１ｂに向かってホルンのベル３の内壁に沿うようにして外径および内径が小さくなっている。小径側端１１ｂは開口している。小径側端１１ｂ近傍の胴部１１の外壁には、柔軟な素材からなる取り付け部１４が胴部１１の軸の周りに亙って設けられている。小径側端１１ｂ近傍の胴部１１は、取り付け部１４を介してベル３の内壁に固定される。
【００１７】
本体部１０の前端には、底部１２がある。底部１２は、皿状をなしている。底部１２は、その外面が外側方向（前方）に突出する突曲面となるように湾曲している。底部１２の皿の底の部分は、胴部１１の軸近傍に位置している。底部１２は、その縁における端面が胴部１１の軸に垂直になるように配置されている。底部１２の縁の部分は、胴部１１の大径側端１１ａに接合している。底部１２は、胴部１１の大径側端１１ａを閉塞する閉塞部である。底部１２は、胴部１１がベル３の内壁に固定されたとき、ベル３の端面近傍に位置する。
【００１８】
底部１２には、本体部１０内の空間と本体部１０外の空間とを連通させる排気孔１５が設けられている。排気孔１５は、本体部１０内の呼気を本体部１０外に排気する役割を担う。排気孔１５の径は、マウスピースの最小内径と同径以上である。マウスピースから吹き込まれた呼気は、ホルン内を通過し、消音器１の胴部１１の小径側端１１ｂから空洞１３に導かれ、底部１２の排気孔１５から消音器１の外部の空間に排出される。
【００１９】
底部１２の中心近傍における底部１２の内壁には、支持部３２が設けられている。支持部３２は、円筒状をなしている。支持部３２の内側には、円筒状のパイプ３１の一端が挿入されている。パイプ３１は、支持部３２に固定されている。パイプ３１は、底部１２近傍から胴部１１の小径側端１１ｂ方向に胴部１１の軸に沿って配置されている。パイプ３１の他端には、マイクロフォン３３が取り付けられている。マイクロフォン３３には、信号線３４の一端が接続されている。信号線３４は、パイプ３１内に挿通されている。信号線３４の他端は、底部１２の中心に設けられたジャックなどの信号出力部３５に接続されている。パイプ３１のマイクロフォン３３側端近傍には、音程調節部３６が設けられている。音程調節部３６は、ベル３の内壁に沿うようにしてパイプ３１のマイクロフォン３３側端に向かって外径および内径が小さくなっている。音程調節部３６の大径側端３６ａは、開口している。音程調節部３６の小径側端３６ｂは、パイプ３１のマイクロフォン３３側端に固定されて閉塞している。
【００２０】
本実施形態による消音器１の特徴は、底部１２の外壁（すなわち、本体部１０の前端の外壁）にある。底部１２の外壁には、ガイド部２１が設けられている。ガイド部２１は、消音器１を装着したホルンを支持する手の位置を案内するためのものである。ガイド部２１は、底部１２の外壁の一部を窪ませて形成したものである。ガイド部２１は、その全領域においてほぼ一様に窪んでいる。ガイド部２１と他の部分との境界近傍におけるガイド部２１は、滑らかに窪んでいる。ガイド部２１は、当該ガイド部２１に手を当てたときに、手の厚さの半分程度がその窪みに収容される程度に窪んでいる。例えば、ガイド部２１の深さ（窪みの深さ）は、５ｍｍ程度である。
【００２１】
本実施形態による消音器１の使用態様を説明しつつ、以下、ガイド部２１の構成を詳細に説明する。消音器１の使用に際し、ユーザ（吹奏者）は、胴部１１の小径側端１１ｂ側から消音器１をホルンのベル３内に挿入する。取り付け部１４がベル３の内壁に当接することにより、消音器１は、ホルンに装着される。このとき、ユーザは、ホルンを構えたときに信号出力部３５の上方に排気孔１５が位置する姿勢となるように消音器１をホルンに装着する。消音器１のこの姿勢を、以下、便宜的に、装着姿勢と呼ぶ。
【００２２】
消音器１を装着した後、ユーザは、ホルンを支持して構える（図１（Ｃ）参照）。このとき、ユーザの右手は、消音器１の底部１２の外壁に当たる。ガイド部２１は、ホルンを適切な支え方で支持するときのユーザの右手が当たる位置に設けられている。
【００２３】
図１（Ｂ）は、装着姿勢でホルンに装着された消音器１の底部１２を正面から見た状態を示している。この図１（Ｂ）を参照してガイド部２１の位置を具体的に説明する。ガイド部２１は、底部１２の中心の信号出力部３５と上方の排気孔１５を各々避けて設けられている。より詳細に説明すると、底部１２の外壁における排気孔１５の縁の部分は、窪んでおらず、その排気孔１５の縁が形成する前方の開口面は、底部１２の外壁が形成する前方に突出した突曲面に含まれるようになっている。同様に、底部１２の外壁における信号出力部３５に隣接する部分は、窪んでおらず、その信号出力部３５に隣接する部分が形成する前方の端面は、底部１２の外壁が形成する前方に突出した突曲面に含まれるようになっている。ガイド部２１は、底部１２の外壁における排気孔１５の縁と、底部１２の外壁における信号出力部３５に隣接する部分との両方を含まない位置であり、かつ、後述の位置、における底部１２の外壁を窪ませることにより形成される。ガイド部２１は、向かって信号出力部３５の左上側、左側、左下側、下側、右下側の全域（以下、便宜のため、左下側の領域という）に亙って設けられている。また、ガイド部２１は、信号出力部３５と排気孔１５との間の位置を通って左下側の領域から右側に延びている（以下、便宜のため、信号出力部３５と排気孔１５との間の領域という）。ガイド部２１の信号出力部３５と排気孔１５との間の領域は、底部１２の右縁に至っていない。
【００２４】
ユーザは、ホルンを支持するに際し、底部１２の外壁を右手で触り、ガイド部２１の位置を確認する。ガイド部２１は窪んでいるため、ユーザは、ガイド部２１と他の部分との境界を容易に認識することができ、ガイド部２１の位置および形状を容易に認識することができる。そして、ユーザは、認識したガイド部２１の位置および形状に従って、当該ガイド部２１に右手を当てる。すなわち、ユーザの右手は、ガイド部２１によって適切な支持位置へ案内される。
【００２５】
より具体的に説明すると、ガイド部２１の信号出力部３５と排気孔１５との間の領域には、右手の親指が案内され、親指の内側がこの領域に当接する。一方、ガイド部２１の左下側の領域には、右手の人差し指、中指、薬指および小指と手のひらが案内され、人差し指、中指、薬指および小指の各々の内側と手のひらがこの領域に当接する。
【００２６】
ユーザは、ガイド部２１に各指の内側と手のひらを当てつつ、人差し指の指先、中指の指先、薬指の指先および小指の指先を胴部１１とベル３との隙間に差し入れる。このとき、ユーザは、胴部１１とベル３との隙間に、各指の指先からそれらの第１関節程度まで（以下、便宜のため、指の先という）を差し入れる。そして、ユーザは、ガイド部２１に当てた各指および手のひらで消音器１をベル３内に押し込みつつ、胴部１１とベル３との隙間に差し入れた人差し指、中指、薬指および小指の各々の指の先で消音器１を引き上げる。このようにして、ユーザは、消音器１を介してホルンを支持して構える。
【００２７】
このように、本実施形態による消音器１は、胴部１１と、胴部１１の前端を閉塞する底部１２とから構成される本体部１０を有している。底部１２の外壁には、ホルンを支持する右手の位置を案内するガイド部２１が設けられている。ガイド部２１は、底部１２の外壁の一部を窪ませることにより形成されている。このため、ユーザは、ガイド部２１と他の部分との境界を容易に認識することができ、ガイド部２１の位置を容易に認識することができる。ユーザは、ガイド部２１により案内された位置に手を当ててホルンを支持することにより、適切な支え方でホルンを支持することができる。このため、不自然な支え方でホルンを支持することを回避することができ、不自然な支え方をして身体に負担がかかるのを回避することができる。従って、本実施形態による消音器１を使用することにより、消音器を装着したホルンの吹奏に支障が生じないようにすることができる。
【００２８】
また、ガイド部２１は、本体部１０内の空間と本体部１０外の空間とを連通させる排気孔１５を避けて設けられている。このため、排気孔１５がホルンを支える右手によって塞がれることを回避することができる。排気孔１５を介して排気される呼気を妨げないため、吹奏感が悪い状態で吹奏することを回避することができる。
【００２９】
また、ホルンの構造上、ユーザは、ホルンを構えるときにベル３内を直接見ることができない。本実施形態による消音器１では、底部１２の外壁の一部を窪ませることによりガイド部２１が形成されているため、ベル３内の消音器１を直接見なくても、底部１２の外壁を手で触ることによりガイド部２１を認識することができる。このため、ユーザは、ベル３内の消音器１を見ることなく、容易に適切な支え方でホルンを支持することができる。さらに、ユーザは、ベル３内の消音器１を見ることなく、排気孔１５を避けてホルンを支持することができる。
【００３０】
＜第２実施形態＞
第１実施形態による消音器１は、消音器１を右手で押し込みつつ、その消音器１を引き上げるようにしてホルンを支持するユーザに好適な消音器であった。消音器が装着されたホルンの適切な支え方は、ユーザの手や指の大きさなどにより、第１実施形態に示した支え方の他にも種々考えられる。本実施形態による消音器１Ａは、ホルンのベル３の端部を右手で引き上げるようにしてホルンを支持するユーザに好適な消音器である。
【００３１】
図２（Ａ）は、この発明の第２実施形態による消音器１Ａを前方から見たときの同消音器１Ａの構成を示す正面図であり、図２（Ｂ）は、同消音器１Ａをホルンに装着して吹奏したときの同消音器１Ａの構成を示す斜視図である。本実施形態による消音器１Ａは、底部１２に代えて底部１２Ａを設けた点において第１実施形態による消音器１と異なる。底部１２Ａは、その外壁にガイド部２１に代えてガイド部２１Ａが設けられている点において第１実施形態の底部１２と異なる。
【００３２】
ガイド部２１Ａは、底部１２Ａの外壁を窪ませてなる部分である点、および排気孔１５を避けて設けられる点において第１実施形態のガイド部２１と同様である。ガイド部２１Ａは、当該ガイド部２１Ａが設けられる位置が第１実施形態のガイド部２１と異なる。
【００３３】
本実施形態による消音器１Ａの使用態様を説明しつつ、以下、ガイド部２１Ａの構成を詳細に説明する。消音器１Ａの使用に際し、ユーザは、第１実施形態による消音器１と同様に、消音器１Ａを装着姿勢でベル３内に装着する。
【００３４】
消音器１Ａを装着した後、ユーザは、ホルンを支持して構える（図２（Ｂ）参照）。本実施形態によるガイド部２１Ａは、消音器１Ａを装着したホルンを支持する手の位置を案内するためのものである点において第１実施形態によるガイド部２１と同様であるが、ガイド部２１が案内する手の部位とは異なる手の部位を案内する点において第１実施形態によるガイド部２１と異なる。
【００３５】
図２（Ａ）は、装着姿勢でホルンに装着された消音器１Ａの底部１２Ａを正面から見た状態を示している。この図２（Ａ）を参照してガイド部２１Ａの位置を具体的に説明する。ガイド部２１Ａは、向かって信号出力部３５の下方に設けられている。ガイド部２１Ａと他の部分との境界は、信号出力部３５から下方に向けて底部１２Ａの縁まで延ばした線の垂直２等分線近傍にあり、ガイド部２１Ａは、その垂直２等分線の下側のほぼ全域にある。
【００３６】
ユーザは、ホルンを支持するに際し、底部１２Ａの外壁を右手で触り、ガイド部２１Ａの位置を確認する。ガイド部２１Ａは窪んでいるため、第１実施形態と同様に、ユーザの右手は、ガイド部２１Ａによって適切な支持位置へ案内される。本実施形態では、ガイド部２１Ａには、右手の親指とその親指の付け根近傍の手のひらが案内され、親指の内側と親指の付け根近傍の手のひらがこのガイド部２１Ａに当接する。
【００３７】
ユーザは、ガイド部２１Ａに親指と親指の付け根近傍の手のひらを当てつつ、人差し指、中指、薬指および小指の各々の指の先（すなわち、各指の指先から第１関節程度まで）をベル３における下側の端部に掛ける。そして、ユーザは、ガイド部２１Ａに当てた親指およびその付け根近傍の手のひらで消音器１Ａをベル３内に押し込みつつ、ベル３の端部に掛けた人差し指、中指、薬指および小指の各々の指の先でベル３を下側から引き上げる。このようにして、ユーザは、ホルンを支持して構える。
【００３８】
このように、本実施形態のガイド部２１Ａは、ホルンを支持する手の親指と親指の付け根近傍の手のひらの位置を案内する。ユーザが適切な支え方でホルンを支持することになる点において第１実施形態と同様である。
従って、本実施形態においても、第１実施形態と同様の効果を奏する。
【００３９】
＜第３実施形態＞
本実施形態による消音器１Ｂは、ベル３の端部近傍におけるベル３の内壁と消音器１Ｂとの両方に手を押し当ててホルンを支持する支え方を行うユーザに好適な消音器である。
【００４０】
図３（Ａ）は、この発明の第３実施形態による消音器１Ｂを前方から見たときの同消音器１Ｂの構成を示す正面図であり、図３（Ｂ）は、同消音器１Ｂに手を当てたときの同消音器１Ｂの構成を示す正面図である。本実施形態による消音器１Ｂは、底部１２に代えて底部１２Ｂを設けた点において第１実施形態による消音器１と異なる。底部１２Ｂは、その外壁にガイド部２１に代えてガイド部２１Ｂｐおよび２１Ｂｉが設けられている点において第１実施形態の底部１２と異なる。なお、ガイド部２１Ｂｐおよび２１Ｂｉを区別しないで説明する場合は、ガイド部２１Ｂと表記する。
【００４１】
ガイド部２１Ｂは、底部１２Ｂの外壁を窪ませてなる部分である点、および排気孔１５を避けて設けられる点において第１実施形態のガイド部２１と同様である。ガイド部２１Ｂは、当該ガイド部２１Ｂが設けられる位置が第１実施形態のガイド部２１と異なる。
【００４２】
本実施形態による消音器１Ｂの使用態様を説明しつつ、以下、ガイド部２１Ｂの構成を詳細に説明する。消音器１Ｂの使用に際し、ユーザは、第１実施形態による消音器１と同様に、消音器１Ｂを装着姿勢でベル３内に装着する。
【００４３】
消音器１Ｂを装着した後、ユーザは、ホルンを支持して構える（図３（Ｂ）参照）。本実施形態によるガイド部２１Ｂは、消音器１Ｂを装着したホルンを支持する手の位置を案内するためのものである点において第１実施形態によるガイド部２１と同様であるが、ガイド部２１が案内する手の部位とは異なる手の部位を案内する点において第１実施形態によるガイド部２１と異なる。
【００４４】
図３（Ａ）および（Ｂ）は、装着姿勢でホルンに装着された消音器１Ｂの底部１２Ｂを正面から見た状態を示している。この図３（Ａ）および（Ｂ）を参照してガイド部２１Ｂの位置を具体的に説明する。ガイド部２１Ｂｐおよび２１Ｂｉは、略楕円形状をなしている。ガイド部２１Ｂｐは、信号出力部３５と底部１２Ｂの左縁との中間近傍に位置している。ガイド部２１Ｂｐにおける下側部分は、その上側部分に比べ若干中央に寄っている。一方、ガイド部２１Ｂｉは、信号出力部３５と底部１２Ｂの右縁との中間近傍に位置している。ガイド部２１Ｂｉにおける下側部分は、その上側部分に比べ若干中央に寄っている。ガイド部２１Ｂｉは、ガイド部２１Ｂｐに比べ、若干上方に位置している。
【００４５】
ガイド部２１Ｂｐの寸法は、親指の指の先（指先から第１関節程度まで）が当該ガイド部２１Ｂｐの窪みに収まる寸法となっている。例えば、ガイド部２１Ｂｐの短径は２０ｍｍ程度であり、ガイド部２１Ｂｐの長径は３０ｍｍ程度であり、ガイド部２１Ｂｐの中心の深さは５ｍｍ程度である。
【００４６】
ガイド部２１Ｂｉの寸法は、人差し指の指の先（指先からその第１関節程度まで）が当該ガイド部２１Ｂｉの窪みに収まる寸法となっている。例えば、ガイド部２１Ｂｉの短径は１５ｍｍ程度であり、ガイド部２１Ｂｉの長径は２５ｍｍ程度であり、ガイド部２１Ｂｉの中心の深さは５ｍｍ程度である。
【００４７】
ユーザは、ホルンを支持するに際し、底部１２Ｂの外壁を右手で触り、ガイド部２１Ｂの位置を確認する。ガイド部２１Ｂは窪んでいるため、第１実施形態と同様に、ユーザの右手は、ガイド部２１Ｂによって適切な支持位置へ案内される。本実施形態では、ガイド部２１Ｂｐには、親指ｐの指の先が案内され、親指ｐの指の先の内側がこのガイド部２１Ｂｐに当接する。同様に、ガイド部２１Ｂｉには、人差し指ｉの指の先が案内され、人差し指ｉの指の先の内側がこのガイド部２１Ｂｉに当接する。ユーザは、各ガイド部２１Ｂの寸法、位置および姿勢（下側部分が上側部分に比べ中央に寄っているなどの姿勢）により、各ガイド部２１Ｂに対応する指を容易に認識することができる。また、案内された各指の姿勢（換言すると、各指が指し示す方向）は、各ガイド部２１Ｂの位置および姿勢により、必然的に決定される。
【００４８】
ユーザは、ガイド部２１Ｂｐに親指ｐの指の先を当て、かつ、ガイド部２１Ｂｉに人差し指ｉの指の先を当てつつ、中指の内側を底部１２Ｂの下側の縁近傍に当て、薬指の内側と小指の内側とをベル３の端部近傍におけるベル３の内壁に当てる。そして、ユーザは、ガイド部２１Ｂに当てた親指ｐおよび人差し指ｉで消音器１Ｂをベル３内に押し込みつつ、薬指および小指をベル３の内壁に押し当てる。このようにして、ユーザは、ホルンを支持して構える。
【００４９】
このように、本実施形態のガイド部２１Ｂは、ホルンを支持する手の親指の指の先の位置および人差し指の指の先の位置を各々案内する。ユーザが適切な支え方でホルンを支持することになる点において第１実施形態と同様である。
従って、本実施形態においても、第１実施形態と同様の効果を奏する。
【００５０】
＜第４実施形態＞
本実施形態による消音器１Ｃは、右手の５指で消音器１Ｂをベル３内に押し込んでホルンを支持する支え方を行うユーザに好適な消音器である。
【００５１】
図４（Ａ）は、この発明の第４実施形態による消音器１Ｃを前方から見たときの同消音器１Ｃの構成を示す正面図であり、図４（Ｂ）は、同消音器１Ｃに手を当てたときの同消音器１Ｃの構成を示す正面図である。本実施形態による消音器１Ｃは、底部１２Ｂに代えて底部１２Ｃを設けた点において第３実施形態による消音器１Ｂと異なる。底部１２Ｃは、その外壁にガイド部２１Ｂｐおよび２１Ｂｉに代えてガイド部２１Ｃｐ、２１Ｃｉ、２１Ｃｍ、２１Ｃａおよび２１Ｃｃｈが設けられている点において第３実施形態の底部１２Ｂと異なる。なお、ガイド部２１Ｃｐ、２１Ｃｉ、２１Ｃｍ、２１Ｃａおよび２１Ｃｃｈを区別しないで説明する場合は、ガイド部２１Ｃと表記する。
【００５２】
ガイド部２１Ｃは、底部１２Ｃの外壁を窪ませてなる部分である点、ユーザの指の先の位置を案内する点、および排気孔１５を避けて設けられる点において第３実施形態のガイド部２１Ｂと同様である。ガイド部２１Ｃは、当該ガイド部２１Ｃが設けられる位置が第３実施形態のガイド部２１Ｂと異なる。
【００５３】
本実施形態による消音器１Ｃの使用態様を説明しつつ、以下、ガイド部２１Ｃの構成を詳細に説明する。消音器１Ｃの使用に際し、ユーザは、第３実施形態による消音器１Ｂと同様に、消音器１Ｃを装着姿勢でベル３内に装着する。
【００５４】
消音器１Ｃを装着した後、ユーザは、ホルンを支持して構える（図４（Ｂ）参照）。本実施形態によるガイド部２１Ｃは、消音器１Ｃを装着したホルンを支持する手の位置を案内するためのものである点において第３実施形態によるガイド部２１Ｂと同様である。ガイド部２１Ｃは、当該ガイド部２１Ｃが案内する指の数が第３実施形態によるガイド部２１Ｂと異なる。
【００５５】
図４（Ａ）および（Ｂ）は、装着姿勢でホルンに装着された消音器１Ｃの底部１２Ｃを正面から見た状態を示している。この図４（Ａ）および（Ｂ）を参照してガイド部２１Ｃの位置を具体的に説明する。ガイド部２１Ｃｐ、２１Ｃｉ、２１Ｃｍ、２１Ｃａおよび２１Ｃｃｈは、各々略楕円形状をなしている。ガイド部２１Ｃｐは、信号出力部３５と底部１２Ｃの左縁との中間近傍に位置している。ガイド部２１Ｃｐにおける下側部分は、その上側部分に比べ若干中央に寄っている。一方、ガイド部２１Ｃｉは、信号出力部３５の右側の信号出力部３５に比較的近い位置に設けられており、ガイド部２１Ｃｍは、ガイド部２１Ｃｉよりも右側に設けられており、ガイド部２１Ｃａは、ガイド部２１Ｃｍよりも右側に設けられており、ガイド部２１Ｃｃｈは、ガイド部２１Ｃａよりも右側に設けられている。ガイド部２１Ｃｉ、２１Ｃｍ、２１Ｃａおよび２１Ｃｃｈの各々の下側部分は、その上側部分に比べ若干中央に寄っている。また、ガイド部２１Ｃｉは、ガイド部２１Ｃｐに比べ若干上方に位置しており、ガイド部２１Ｃｍは、ガイド部２１Ｃｉに比べ若干上方に位置しており、ガイド部２１Ｃａは、ガイド部２１Ｃｍに比べ若干下方に位置しており、ガイド部２１Ｃｃｈは、ガイド部２１Ｃａに比べ若干下方に位置している。
【００５６】
ガイド部２１Ｃｐの寸法およびガイド部２１Ｃｉの寸法は、第３実施形態のガイド部２１Ｂｐの寸法およびガイド部２１Ｂｉの寸法と同様である。
【００５７】
ガイド部２１Ｃｍの寸法は、中指の指の先（指先から第１関節程度まで）が当該ガイド部２１Ｃｍの窪みに収まる寸法となっている。例えば、ガイド部２１Ｃｍの短径は１５ｍｍ程度であり、ガイド部２１Ｃｍの長径は２５ｍｍ程度であり、ガイド部２１Ｃｍの中心の深さは５ｍｍ程度である。
【００５８】
ガイド部２１Ｃａの寸法は、薬指の指の先（指先から第１関節程度まで）が当該ガイド部２１Ｃａの窪みに収まる寸法となっている。例えば、ガイド部２１Ｃａの短径は１５ｍｍ程度であり、ガイド部２１Ｃａの長径は２５ｍｍ程度であり、ガイド部２１Ｃａの中心の深さは５ｍｍ程度である。
【００５９】
ガイド部２１Ｃｃｈの寸法は、小指の指の先（指先から第１関節程度まで）が当該ガイド部２１Ｃｃｈの窪みに収まる寸法となっている。例えば、ガイド部２１Ｃｃｈの短径は１５ｍｍ程度であり、ガイド部２１Ｃｃｈの長径は２０ｍｍ程度であり、ガイド部２１Ｃｃｈの中心の深さは５ｍｍ程度である。
【００６０】
ユーザは、ホルンを支持するに際し、底部１２Ｃの外壁を右手で触り、ガイド部２１Ｃの位置を確認する。ガイド部２１Ｃは窪んでいるため、第３実施形態と同様に、ユーザの右手は、ガイド部２１Ｃによって適切な支持位置へ案内される。本実施形態では、ガイド部２１Ｃｐには、親指ｐの指の先が案内され、親指ｐの指の先の内側がこのガイド部２１Ｃｐに当接する。ガイド部２１Ｃｉには、人差し指ｉの指の先が案内され、人差し指ｉの指の先の内側がこのガイド部２１Ｃｉに当接する。ガイド部２１Ｃｍには、中指ｍの指の先が案内され、中指ｍの指の先の内側がこのガイド部２１Ｃｍに当接する。ガイド部２１Ｃａには、薬指ａの指の先が案内され、薬指ａの指の先の内側がこのガイド部２１Ｃａに当接する。ガイド部２１Ｃｃｈには、小指ｃｈの指の先が案内され、小指ｃｈの指の先の内側がこのガイド部２１Ｃｃｈに当接する。第３実施形態と同様に、ユーザは、各ガイド部２１Ｃの寸法、位置および姿勢により、各ガイド部２１Ｃに対応する指を容易に認識することができ、案内された各指の姿勢は、各ガイド部２１Ｃの位置および姿勢により必然的に決定される。
【００６１】
ユーザは、ガイド部２１Ｃに当てた５指で消音器１Ｃをベル３内に押し込む。これにより、ユーザは、消音器１Ｃを介してホルンを支持して構える。
【００６２】
このように、本実施形態のガイド部２１Ｃは、ホルンを支える手の親指の指の先の位置、人差し指の指の先の位置、中指の指の先の位置、薬指の指の先の位置および小指の指の先の位置を各々案内する。ユーザが適切な支え方でホルンを支持することになる点において第３実施形態と同様である。
従って、本実施形態においても、第３実施形態と同様の効果を奏する。
【００６３】
なお、本実施形態では、５指のすべてについて各々の指の先の位置を案内するガイド部２１Ｃを設けていたが、５指のすべてについてのガイド部２１Ｃを設けなくても良い。指の先の位置を案内するガイド部が少なくとも１つの指について設けられていると、そのガイド部の寸法、位置および姿勢により、当該ガイド部に対応する指の種類、その指の位置、およびその指の姿勢が決定され、他の指は、当該ガイド部に案内された指との関係により、その指の位置および姿勢が限られることとなる。従って、指の種類、指の先の位置および指の姿勢を決定することとなるガイド部を少なくとも１つの指について設けるようにすれば、ユーザは、適切な支え方でホルンを支えることができる。
【００６４】
＜他の実施形態＞
以上、この発明の第１〜第４実施形態について説明したが、この発明には他にも実施形態が考えられる。例えば次の通りである。
【００６５】
（１）上記第１〜第４実施形態による消音器１〜１Ｃのガイド部２１〜２１Ｃは、底部１２〜１２Ｃの外壁の一部を窪ませて形成したものであった。しかし、ガイド部２１〜２１Ｃは、このようにして形成したものでなくても良い。以下の（１Ａ）〜（１Ｋ）において、ガイド部の他の態様の例を説明する。
【００６６】
（１Ａ）ガイド部は、底部の外壁の一部を一様に突出させて形成したものであっても良い。この態様においても、底部の外壁を触ることにより、突出しているガイド部と他の部分との境界を容易に認識することができ、突出しているガイド部の位置を容易に認識することができる。従って、第１〜第４実施形態と同様の効果を奏する。
【００６７】
（１Ｂ）ガイド部は、底部の外壁に細かな凹凸が設けられたものであっても良い。この細かな凹凸は、例えば、ゴルフボールの表面のような細かな窪みであっても良いし、点字のような細かな突起であっても良いし、これら細かな窪みと細かな突起を組み合わせたものであっても良い。この態様においても、底部の外壁を触ることにより、細かな凹凸により形成されたガイド部の位置を容易に認識することができる。従って、第１〜４実施形態と同様の効果を奏する。
【００６８】
（１Ｃ）ガイド部は、底部の外壁の一部を一様に窪ませて、さらに、その窪ませた部分に細かな凹凸を形成したものであっても良い。また、ガイド部は、底部の外壁の一部を一様に突出させて、さらに、その突出させた部分に細かな凹凸を形成したものであっても良い。この態様では、ガイド部をより容易に認識することができる。
【００６９】
（１Ｄ）ガイド部は、消音器の製造時に形成されても良いし、消音器の製造後に形成されても良い。消音器の製造後にガイド部が形成される例として、ガイド部と他の部分を区別する穴空きシールや凹凸のあるシールのようなものを用意し、ユーザがそのシールを既存の消音器の底部の外壁に貼り付ける、という態様が挙げられる。この態様では、そのシールが貼り付けられた底部の外壁を触ることにより、シールの穴の部分や凹凸の部分を容易に認識することができる。また、消音器の製造後にガイド部が形成される他の例として、使用すると筆跡が盛り上がるペンのようなものを用意し、ユーザがそのペンを既存の消音器の底部の外壁に使用する、という態様が挙げられる。この態様では、そのペンが使用された底部の外壁を触ることにより、盛り上がった筆跡部分をガイド部として容易に認識することができる。このように、消音器の製造後にガイド部が付加されるようにすると、第１〜第４実施形態と同様の効果に加え、既存の消音器を流用することができるという効果およびガイド部の位置をユーザ毎に細かく調整することができるという効果も奏する。
【００７０】
（１Ｅ）底部の外壁の一部の材質を他の部分の材質と異ならせることによりガイド部を形成しても良い。例えば、底部におけるガイド部はウレタンなどの柔らかい材質により形成され、他の部分は硬い材質により形成されるという具合である。この態様では、柔らかい材質により形成されたガイド部に手や指を押し当てるとその押し当てた部分は凹む一方、硬い材質により形成された他の部分に手や指を押し当ててもその押し当てた部分は変化しない。このため、底部の外壁を触ったときの感触や当該外壁の変形により、ガイド部の位置を容易に認識することができる。従って、第１〜４実施形態と同様の効果を奏する。
【００７１】
（１Ｆ）底部の外壁に凹凸を設け、かつ、底部の外壁の材質を異ならせることによりガイド部を形成しても良い。この態様においても、第１〜４実施形態と同様の効果を奏する。
【００７２】
（１Ｇ）底部の外壁の一部の摩擦係数を他の部分の摩擦係数と異ならせることによりガイド部を形成しても良い。例えば、底部の外壁の摩擦係数よりも摩擦係数が大きな材料を底部の外壁の一部に塗布することによりガイド部を形成する、という具合である。この態様では、ガイド部は他の部分に比べ滑り難くなる。このため、底部の外壁を触ったときの手の滑りやすさにより、ガイド部の位置を容易に認識することができる。このように、ガイド部の摩擦係数を他の部分よりも大きくすると、第１〜４実施形態と同様の効果に加え、消音器を介してホルンを支持する手が滑り難くなるため、より確実にホルンを支持することができるようになるという効果も奏する。
【００７３】
（１Ｈ）底部の外壁の一部の材質を他の部分の材質と異ならせることにより、当該底部の外壁の一部の摩擦係数を他の部分の摩擦係数と異ならせるようにしてガイド部を形成しても良い。この態様においても上記変形例（１Ｇ）と同様の効果を奏する。
【００７４】
（１Ｉ）消音器の製造後に、底部の外壁の一部の摩擦係数を他の部分の摩擦係数と異ならせることによりガイド部を形成しても良い。例えば、底部の外壁よりも摩擦係数が大きく、かつ、ガイド部の形状に加工されたゴムシートなどを用意し、ユーザがそのゴムシートなどを両面粘着テープなどを介して底部に貼り付ける、という具合である。この態様においても上記変形例（１Ｇ）と同様の効果を奏する。また、この態様では、既存の消音器を流用することができるという効果およびガイド部の位置をユーザ毎に細かく調整することができるという効果も奏する。
【００７５】
（１Ｊ）底部の外壁に凹凸を設け、かつ、底部の外壁の摩擦係数を異ならせることによりガイド部を形成しても良い。例えば、底部の外壁の一部を一様に窪ませ、かつ、その窪ませてなる部分に摩擦係数が大きいゴムシートなどを貼り付けることによりガイド部を形成する、という具合である。この態様では、第１〜４実施形態と同様の効果に加え、より確実にホルンを支持することができるようになるという効果も奏する。
【００７６】
（１Ｋ）底部の外壁に凹凸を設け、かつ、底部の外壁の材質を異ならせることにより底部の外壁の摩擦係数を異ならせるようにしてガイド部を形成しても良い。この態様においても上記変形例（１Ｊ）と同様の効果を奏する。
【００７７】
（２）上記各実施形態による消音器１〜１Ｃでは、底部１２〜１２Ｃの外壁（本体部の前端の外壁）にガイド部２１〜２１Ｃを設けていた。しかし、ガイド部は、底部近傍の胴部の外壁に設けられても良く、底部の外壁と底部近傍の胴部の外壁との両方に設けられても良い。ここで言う底部近傍の胴部の外壁とは、底部から指の先（指先から第１関節程度まで）の長さ程度に後退した位置と当該底部との間における胴部の外壁を言う。また、底部の外壁と底部近傍の胴部の外壁とを合わせた部分のことを、便宜のため、本体部の前端部の外壁と言う。すなわち、ガイド部は、本体部の前端部の外壁に設けられていれば良い。
【００７８】
より詳細に説明する。第１実施形態では、胴部１１とベル３との隙間に人差し指、中指、薬指および小指の各々の指の先を差し入れて消音器１を引き上げていた。本変形例におけるガイド部は、例えば、第１実施形態のようにして当該隙間に差し入れた人差し指等の指の先が当たる位置における胴部の外壁に設けられる。ユーザは、人差し指等で底部近傍の胴部の外壁を触ることで、ガイド部を容易に認識でき、ユーザの右手は、適切な支持位置へ案内される。このため、この態様においても、上記各実施形態と同様に、消音器を装着したホルンの吹奏に支障が生じないようにすることができる。また、例えば、底部の外壁に第１実施形態によるガイド部を設け、かつ、底部近傍の胴部の外壁に人差し指等の指の先の位置を案内する前述のガイド部を設けるようにしても良い。このようにすると、ユーザの右手は、より容易および確実に適切な支持位置へ案内される。
【００７９】
（３）上記各実施形態では、消音器１〜１Ｃの装着時に底部１２〜１２Ｃがベル３の端面近傍に位置していた。しかし、消音器の装着時に本体部の一部（例えば、本体部の前端部（変形例（２）参照））がベルの端面から突出する消音器にガイド部を設けても良い。この態様のガイド部は、ベルの端面から突出している本体部の前端部の外壁に排気孔を避けて設けられる。このため、上記各実施形態と同様に、ユーザが適切な支え方でホルンを支持することができ、排気孔が手によって塞がれることを回避することができる。
【００８０】
（４）上記各実施形態による消音器１〜１Ｃは、マイクロフォン３３、信号線３４および信号出力部３５を有していた。しかし、これらマイクロフォン３３等の電装部品を有さない消音器にガイド部を設けても良い。この態様においても上記各実施形態と同様の効果を奏する。この態様では、信号出力部３５を避けてガイド部を設ける必要は元々ない。
【００８１】
（５）上記各実施形態による消音器１〜１Ｃは、呼気を排気する排気孔１５が底部１２に設けられている消音器の底部１２にガイド２１を設けたものであった。しかし、底部に呼気を排気する排気孔がなく胴部の外壁とベルの内壁との隙間に呼気を排気するための排気口を設けた消音器の底部にガイド部を設けても良い。この態様では、胴部の外壁とベルの内壁との隙間の排気口が手によって塞がれる虞は元々なく、ユーザに適切な支え方でホルンを支持させることができることにかわりはない。従って、この態様の消音器を使用することにより、消音器を装着したホルンの吹奏に支障が生じないようにすることができる。
【００８２】
（６）消音器が装着されたホルンの適切な支え方は、ユーザの手や指の大きさなどにより、上記各実施形態に示した支え方の他にも種々考えられる。このため、ガイド部は、上記各実施形態に示した位置に設けられるものに限られない。
【００８３】
（７）上記各実施形態では、ホルン用の消音器１〜１Ｃについて説明した。しかし、それ以外の管楽器に用いる消音器においても同様な技術的思想で消音器を設計することができる。例えば、メロフォンに用いる消音器が挙げられる。メロフォンの吹奏者は、通常、左手でベルの端部近傍を支持しながら吹奏する。メロフォンに消音器を装着して吹奏すると、ベルの端部近傍を支持する左手が消音器に接触することがある。このため、メロフォン用の消音器では、メロフォンを適切な支え方で支持するときの吹奏者の左手が当たる位置にガイド部を設けるようにすれば良い。このようにガイド部を設けることにより、上記各実施形態によるホルン用の消音器１〜１Ｃと同様の効果を奏する。
【符号の説明】
【００８４】
１，１Ａ，１Ｂ，１Ｃ…消音器、３…ベル、１０…本体部、１１…胴部、１１ａ，３６ａ…大径側端、１１ｂ，３６ｂ…小径側端、１２，１２Ａ，１２Ｂ，１２Ｃ…底部、１３…空洞、１４…取り付け部、１５…排気孔、２１，２１Ａ，２１Ｂ，２１Ｂｐ，２１Ｂｉ，２１Ｃ，２１Ｃｐ，２１Ｃｉ，２１Ｃｍ，２１Ｃａ，２１Ｃｃｈ…ガイド部、３１…パイプ、３２…支持部、３３…マイクロフォン、３４…信号線、３５…信号出力部、３６…音程調節部。
【図１】
2015079054.tif 000003
【図２】
2015079054.tif 000004
【図３】
2015079054.tif 000005
【図４】
2015079054.tif 000006